(57)【要約】【課題】本発明の混構造設計では各層事の木造軸組工法や２×４工法の軸組部に長スパンや大空間に必要な箇所に必要な数の木造又は鉄骨造や鉄筋コンクリート造のラーメンフレームを設けた混構造の建築が建設出来る為下部構造を全て鉄骨造や鉄筋コンクリート造での建設が不要で重い床の自重や柱、梁の負担も少なく木造軸組工法や２×４工法の床組で処理出来るので柱や梁及び基礎の規模も木造の基礎で対応出来るし地耐力が低い敷地でも建設できる【解決手段】各層事の木造軸組工法や２×４工法とラーメン工法による混構造計算方法で木造と鉄骨造や鉄筋コンクリート造のラーメンの応力を壁倍率に解析して木造軸組工法や２×４工法と一緒に壁倍率による木造の許容応力度設計等の計算方法や限界耐力計算で計算して設計する【選択図】  図１
2005083187.tif 000002
【特許請求の範囲】
【請求項１】
木造軸組工法や２×４工法と木造ラーメン工法による混構造
【請求項２】
木造軸組工法や２×４工法と鉄骨ラーメン工法による混構造
【請求項３】
木造軸組工法や２×４工法と鉄筋コンクリートラーメン工法による混構造
【発明の詳細な説明】
【技術分野】
【０００１】本発明は木造軸組工法とラーメン工法による混構造に関する物である【０００２】本発明は２×４工法とラーメン工法による混構造に関する物である
【背景技術】
【０００３】従来の木造軸組工法や２×４工法による木造住宅では長スパンによる開口部や狭小間口の建設では１階部分を鉄骨造や鉄筋コンクリート造で２〜３階部分を木造で建設する混構造がある【０００４】木造軸組工法や２×４工法による木造住宅では大空間獲得の為１階部分を鉄骨造や鉄筋コンクリート造で２〜３階部分を木造で建設する混構造がある【０００５】大断面の木造ラーメン及び鉄骨造や鉄筋コンクリート造ラーメンの地震及び暴風時の水平応力を算出する構造計算方法は応力を壁倍率に置き換えて壁耐力による壁倍率計算法は使用されていない
【発明の開示】
【発明が解決しようとうる課題】
【０００６】解決しようとする問題点は  従来の木造と鉄骨造や鉄筋コンクリート造との混構造では下層部構造全部を鉄骨造や鉄筋コンクリート造で上層部構造の２〜３階を木造で建設している
【０００７】日本では建築基準法の問題で木造軸組工法や２×４工法では耐力壁なしで長スパンの開口の木造住宅は建設が困難
【０００８】建築基準法の問題で日本では木造軸組工法や２×４工法では狭小間口の敷地に耐力壁なしで車庫等の空間は木造住宅では建設が困難
【０００９】木造と鉄骨造や鉄筋コンクリート造との混構造では下層部構造全部を鉄骨造や鉄筋コンクリート造で建設しているので床の自重が重く柱や梁及び基礎の規模が大掛かりで地耐力が低い敷地では地盤改良費等が嵩む
【００１０】各層事の木造軸組工法や２×４工法とラーメン工法による混構造の構造計算方法が確立されていない
【課題を解決するための手段】
【００１２】本発明は各層事の木造軸組工法や２×４工法とラーメン工法による混構造計算方法で木造と鉄骨造や鉄筋コンクリート造のラーメンの応力を壁倍率に解析して木造軸組工法や２×４工法と一緒に壁倍率による木造の許容応力度設計等の計算方法や限界耐力計算で計算して設計する
【発明の効果】
【００１３】本発明の混構造設計では各層事の木造軸組工法や２×４工法の軸組部に長スパンや大空間に必要な箇所に必要な数の木造又は鉄骨造や鉄筋コンクリート造のラーメンを設けた混構造の建築が建設出来る
【００１４】本発明の混構造設計では各層事の木造軸組工法や２×４工法の軸組部に長スパンや大空間に必要な箇所に必要な数の木造又は鉄骨造や鉄筋コンクリート造のラーメンフレームを設けた混構造の建築が建設出来るので下部構造を全て鉄骨造や鉄筋コンクリート造での建設が不要で重い床の自重や柱、梁の負担も少なく木造軸組工法や２×４工法の床組で処理出来るので柱や梁及び基礎の規模も木造の基礎で対応出来るし地耐力が低い敷地でも建設できる
【００１５】狭小間口等の車庫部分だけの一部分に木造又は鉄骨造や鉄筋コンクリート造のラーメンフレームを設けた混構造が出来るので大掛かりな木造又は鉄骨造や鉄筋コンクリート造のラーメンフレームを設けずに混構造の建築が建設出来るので重い床の自重や柱、梁の負担も少なく木造軸組工法や２×４工法の床組で処理出来るので基礎の規模も木造の基礎で対応出来るし地耐力が低い敷地でも建設できる
【発明を実施するための最良の形態】
【００１６】各層事の木造軸組工法や２×４工法の軸組部に長スパンや大空間の下部構造は全て鉄骨造や鉄筋コンクリート造での建設が不要だから必要な箇所に必要な数の木造又は鉄骨造や鉄筋コンクリート造のラーメンフレームを設けた混構造の建築を建設すると下部構造の重い床の自重や柱、梁の負担ガ不要になり木造軸組工法や２×４工法の床組で処理出来るので柱や梁の負担が小さく基礎の規模も木造の基礎で対応出来るので地耐力が低い敷地でも建設できる
【実施例１】
【００１７】図１は本発明の木造軸組工法や２×４工法とラーメン工法による混構造の実施図であるラーメン工法による木造又は鉄骨造や鉄筋コンクリート造ラーメンフレームをロット事に性能試験を行ないそのデーターによる短期許容せん断耐力又はラーメンフレームの構造計算で短期許容せん断耐力により壁倍率を算出して木造軸組工法や２×４工法とラーメン工法の壁倍率による許容応力度設計等で処理する
【実施例２】
【００１８】図２は本発明に使用するの木造ラーメンフレームである  通直木材や集成材によりラーメンフレームを組み立て  応力の算出は木材の樹種の違いや木材の異方性等の問題及び接合方法等の問題があるので各ロット事に性能試験を行ないそのデーターによる短期許容せん断耐力又は木造ラーメンフレームの構造計算で短期許容せん断耐力により壁倍率を算出して木造軸組工法や２×４工法とラーメン工法の壁倍率による許容応力度設計等で処理する
【数１】
耐力壁の短期許容せん断力の算定
Ｐａ＝Ｐｏ×α
但し  Ｐａ：短期許容せん断力
Ｐｏ：実験により決定された耐力壁の短期基準せん断力
α：耐力に影響を及ぼす係数
【数２】
耐力壁の壁倍率の算定
壁倍率＝Ｐａ×（１／１．９６）×（１／Ｌ）
但し  Ｐａ：短期許容せん断力（ｋＮ／ｍ）
１．９６：壁倍率＝１を算定する数値（ｋＮ／ｍ）
Ｌ：壁の長さ（ｍ）
算出された数値は０．５〜５までの範囲のすうちとする
【数３】
木造ラーメンの短期許容せん断力の算定
木造ラーメン倍率＝Ｐａ／１．９６×Ｌ
木造ラーメンの壁量＝（Ｐａ／１．９６×Ｌ）×Ｌ＝Ｐａ／１．９６（一定値）
但し  Ｐａ：短期許容せん断力（ｋＮ／ｍ）
１．９６：壁倍率＝１を算定する数値（ｋＮ／ｍ）
Ｌ：壁の長さ（ｍ）
【実施例３】
【００１９】図３は本発明に使用する鉄骨造ラーメンフレームである  応力の算出は構造計算で短期許容せん断耐力により壁倍率を算出して木造軸組工法や２×４工法とラーメン工法の壁倍率による許容応力度設計等で処理する
【実施例４】
【００２０】図４は本発明に使用する鉄筋コンクリート造の造ラーメンフレームである  応力の算出は構造計算で短期許容せん断耐力により壁倍率を算出して木造軸組工法や２×４工法とラーメン工法の壁倍率による許容応力度設計等で処理する
【産業上の利用可能性】
【００２１】日本の木造住宅は阪神大震災以降  品確法等の規制により耐力壁による耐震設計を施工されているので壁なしの長スパンや大空間の住宅を建設する事が困難になったが本発明の木造軸組工法や２×４工法とラーメンフレームによる混構造工法により安全で安く実現できる
【図面の簡単な説明】
【００２２】
【図１】木造軸組工法や２×４工法とラーメン工法の実施方法の説明用立面図（実施例１）
【図２】本発明に使用する木造ラーメンフレームの立面図
【図３】本発明に使用する鉄骨造ラーメンフレームの立面図
【図３】本発明に使用する鉄筋コンクリート造ラーメンフレームの立面図
【符号の説明】
【００２３】  １  ラーメンフレームの柱
２  ラーメンフレームの梁
３  基礎
４  木造軸組の柱
５  木造軸組の横架材
６  木造軸組の筋違
７  木造軸組の面材
８  鉄骨造のラーメンフレーム柱
９  鉄骨造のラーメンフレーム梁
１０  鉄筋コンクリートラーメンフレームの柱
１１  鉄筋コンクリートラーメンフレームの梁
１２  木造ラーメンフレームの柱
１３  木造ラーメンフレームの梁
【図１】
2005083187.tif 000003
【図２】
2005083187.tif 000004
【図３】
2005083187.tif 000005
【図４】
2005083187.tif 000006
【手続補正書】
【提出日】平成15年11月24日(2003.11.24)
【手続補正１】
【補正対象書類名】明細書
【補正対象項目名】００２２
【補正方法】変更
【補正の内容】
【００２２】
【図１】木造軸組工法や２×４工法とラーメン工法の実施方法の説明用立面図
【図２】本発明に使用する木造ラーメンフレームの立面図
【図３】本発明に使用する鉄骨造ラーメンフレームの立面図
【図４】本発明に使用する鉄筋コンクリート造ラーメンフレームの立面図